(57)【要約】      （修正有）【課題】水を扱う作業者の取り扱い性に優れたフルフェイス形マスクを提供する。【解決手段】覆われたエリア内のさらに内側に鼻部および口部を覆うノーズカップ用吸気弁４ａを備えたノーズカップ４と、清浄空気供給ユニットとの接続を可能とする吸気ユニット接続部５ａと清浄空気取り入れ口である吸気口５ｂと前記ノーズカップの内側の着用者の呼気をマスク外に排出するための排気口５ｅに設けられた一方向に開閉可能な排気弁５ｆを備えた面口部５と、マスクを携行するための首掛け紐を備えたフルフェイス形マスクの前記面口部を前記吸気口を形成している隔壁５ｃによって前記吸気ユニット接続部側とマスクの内側とに仕切り、前記吸気口の下方側に前記排気口を配設し、前記隔壁のマスクの内側面であって前記吸気口の中心より上方側の前記吸気口の外周側に、前記隔壁面と直交する方向への前記隔壁面からの高さが３〜１００ｍｍの壁板５ｄを設ける。【選択図】図２
2012010732.tif 000002
【特許請求の範囲】
【請求項１】
少なくとも眼部、鼻部および口部を覆うことが可能であって、その覆われたエリア内のさらに内側に鼻部および口部を覆う一方向に開閉可能なノーズカップ用吸気弁を備えたノーズカップと、着用者に清浄空気を供給するための清浄空気供給ユニットとの接続を可能とする吸気ユニット接続部と前記清浄空気供給ユニットからの清浄空気取り入れ口である吸気口と前記吸気口を通過したのち前記ノーズカップ用吸気弁を通じて前記ノーズカップの内側に供給される清浄空気を含み前記ノーズカップの内側の着用者の呼気をマスク外に排出するための排気口に設けられた一方向に開閉可能な排気弁を備えた面口部と、非装着状態にあるマスクを着用者の首に掛けて携行するための首掛け紐を備えたフルフェイス形マスクにおいて、
前記面口部は、前記吸気口を形成している隔壁によって前記吸気ユニット接続部側とマスクの内側とに仕切られ、前記吸気口の下方側には前記排気口が配設され、前記隔壁のマスクの内側面であって前記吸気口に対する前記排気口のある側とは反対側の少なくとも前記吸気口の中心より上方側の前記吸気口の外周側に、前記隔壁面と直交する方向への前記隔壁面からの高さが３〜１００ｍｍの壁板を設けたことを特徴とするフルフェイス形マスク。
【請求項２】
前記壁板は、前記隔壁面のマスクの内側であって前記隔壁面と直交する方向からみたとき、前記排気口の中心と前記吸気口の中心とを結ぶ前記排気口から前記吸気口に向かっての延長線を中心に少なくとも１８０°以上の範囲に設けられていることを特徴とする請求項１に記載のフルフェイス形マスク。
【請求項３】
前記壁板の外周面が、前記隔壁面に対して４５〜１３５°の角度で設けられていることを特徴とする請求項１または２に記載のフルフェイス形マスク。
【請求項４】
前記壁板が、前記吸気口を周状に囲うように設けられていることを特徴とする請求項１〜３に記載のフルフェイス形マスク。
【請求項５】
前記隔壁のマスクの内側面に、前記吸気口からマスクの内側に向かって一方向に開閉する吸気弁を設け、前記吸気口の外周側に前記吸気口を囲うように、前記吸気弁の閉鎖時に前記吸気弁の外周近傍に周状に当接するように設けた突起状の吸気弁当接山部が、前記壁板を兼ねることを特徴とする請求項４に記載のフルフェイス形マスクである。
【発明の詳細な説明】
【技術分野】
【０００１】
本発明は、作業環境中の有害物質をろ過、または空気供給装置を通じて着用者に清浄空気の吸入を可能とする呼吸用保護具の内、眼部、鼻部および口部を覆うように形成されたフルフェイス形マスクの改良に関する。
【背景技術】
【０００２】
一般的なフルフェイス形マスクは、眼部、鼻部および口部を覆うことが可能であって、その覆われたエリア内のさらに内側に鼻部および口部を覆う一方向に開閉可能なノーズカップ用吸気弁を備えたノーズカップと、着用者に清浄空気を供給させるための清浄空気供給ユニットを接続する吸気ユニット接続部と前記清浄空気供給ユニットからの清浄空気取り入れ口である吸気口とさらに前記吸気口を通過したのち前記ノーズカップ用吸気弁を通じて前記ノーズカップの内側に流入した清浄空気を含み前記ノーズカップの内側の着用者の呼気をマスク外に排出する一方向に開閉可能な排気弁を備えた面口部と、着用者の視界を確保するための透明部材からなるアイピースと、着用者の顔面に気密状態で当接する弾性部材からなるフェイスピースと、アイピースとフェイスピースとを気密状態で固定するアイピース固定枠と、顔面へのマスクの装着状態を保持するためのヘッドハーネスと、そのヘッドハーネスを長さ調整可能にフェイスピースに取り付けるアジャスターと、マスクを非装着状態で携行するために着用者の首に掛けておくことができる首掛け紐などによって構成される。
【０００３】
従来、フルフェイス形マスクついては、高圧空気充填ボンベからマスク内に強制的に清浄空気を供給する空気呼吸器、コンプレッサーによりフィルタ、吸収缶或いはその両方のろ過材を介して強制的に清浄空気を供給するエアラインマスク、電動ファンによりフィルタ、吸収缶或いはその両方のろ過材を介して強制的に清浄空気を供給する電動ファン付きマスク、自己肺力によりフィルタ、吸収缶或いはその両方のろ過材を介して清浄空気を吸気する防じん・防毒マスクなど、これらの用途をはじめとする呼吸用保護具の分野で用いられている。
【０００４】
前述のフルフェイス形マスクの各種用途において、一般的なフルフェイス形マスクはいずれの用途においても共通して用いることが可能なように、前述した面口部の吸気ユニット接続部には、空気呼吸器であれば供給弁が、エアラインマスクであれば空気接続部が、電動ファン付きマスクではブロワーユニットが、防じんマスクであればフィルタが、防毒マスクであれば吸収缶がそれぞれマスクの用途に合わせて適宜着脱可能に接続できるようになっている。なお、この面口部の吸気ユニット接続部は口部の近傍に配設されるものが一般的で、マスクに対しては額側を上側とした場合、下側に位置している。
【０００５】
このフルフェイス形マスクの使用においては、マスクを着用せずとも着用者の周囲の環境が呼吸に供する空気を得られるような状況となったときなどは、一時的にマスクを脱いで非装着状態にすることがある。例えば休憩時間などが代表的であるが、着用者が有害環境から無害環境に移動したときなどである。このように一時的にマスク非装着状態にあるマスクは、通常前述した首掛け紐を用いて着用者の首に掛けて携行している。このようにマスクを非装着状態で首掛け紐を用いて着用者の首に掛けたときの状況を図１に示す。一般的にはマスク装着時にマスクの下方に位置する側、つまり吸気ユニット接続部のある面口部側が上側に、マスク装着時にマスクの上方に位置する側、つまり額側となる側が下側になるように、かつマスクの接顔部側が着用者の身体側を向くような状態で着用者の首から垂れ下がっている。これは、着用者の首から垂れ下がった状態でマスクに水などを浴びてしまうことを考慮して、着用状態のままの向きである額側を上側に、吸気ユニット接続部のある面口部側を下側の向きに着用者の首から掛けて垂れ下げていると、吸気ユニット接続部に接続される清浄空気供給ユニット内にその首から掛けた状態において簡単に水などが浸入してしまい、正常に動作しなくなってしまうという危険性があるためであり、マスクを着用時とは逆の逆さまの状態で首から下げておくことで吸気ユニット接続部のある面口部側には水などを流れ込ませず、下側に向けた額側に流れ込むようにしているためである。
【０００６】
このようにマスクを非装着状態で着用者の首から首掛け紐によって垂れ下がっている状況で水などを浴びるような作業の具体例としては、消防現場が代表的である。消防現場では前述した空気呼吸器が用いられており、この空気呼吸器はフルフェイス形マスクのほか、前述した供給弁や高圧空気充填ボンベとそのボンベ専用の背負具、その背負具を着用者の体に装着するためのハーネスなどによって構成されている。高圧空気充填ボンベの内容量には制限があるため、消防隊員はボンベを背負具に装備してそれをハーネスで自身の体に装着した状態にありながらもマスクのみ非装着状態で首掛け紐によってそのマスクを携行しながら消火活動や救助活動などを行う場合がある。
【０００７】
そのような状況では消火活動によって放水された水を消防隊員が浴びてしまうことは避けられず、前述したようにマスクが首掛け紐によって着用者の首からぶら下がった状態にあっても水などがなるべくマスクに入り込まないように配慮はされているもののそれだけでは完全ではなく、着用者の身体と首掛け紐によって着用者の首からぶら下がった状態にあるマスクの接顔部側との間から水が流れ込み、最終的にはマスクの中の額側に位置する箇所である下側にその水が溜まってしまう。そしてその水が溜まっている状態のマスクを装着しようとした場合、マスクの吸気ユニット接続部のある面口部側が上側に、額側に位置する側が下側にある状態のマスクを、上下ひっくり返した向きにして装着することになり、マスクの額側に溜まっていた水が面口部側に流れ、吸気口を伝って吸気ユニット接続部に接続された清浄空気供給ユニットである供給弁の内部に流れ込んでしまうということが起こる。このように供給弁の内部に水などが浸入してしまうと、供給弁を構成している部品の中の金属部品を錆びつかせてしまったり、部品の摺動部のグリスが流れ落ちてしまったりと、機構部品どうしがスムーズに動くことができなくなってしまったり、異物を含んだ水などが浸入した場合はその異物によって正常に動作しなくなるなどの問題が生じていた。
【０００８】
このような問題は空気呼吸器に限ったものではなく、例えば電動ファン付きマスクであれば面口部の吸気口から吸気ユニット接続部に接続されたブロワーユニットの内部に侵入し、電気部品を短絡して故障させてしまうことになる。
【０００９】
このような問題点の存在にもかかわらず、従来は、主に着用者自身の注意を喚起するにとどまり、マスクの構造を改良して問題点を解決するという着想は事実上存在しなかった。なお、特許文献１および特許文献２にはフルフェイス形マスクの構造図が記載されているに留まる。
【先行技術文献】
【特許文献】
【００１０】
【特許文献１】特開平９−３８２２５号公報
【特許文献２】特開平１１−１１４０７９号公報
【発明の概要】
【発明が解決しようとする課題】
【００１１】
本発明の目的は上記した従来技術の問題点を解決することにある。
マスクを非装着状態で首掛け紐によって着用者の首からぶら下げた状態では、マスクの面口部の吸気ユニット接続部のある側が上側に、額側に位置する側が下側にあり、その状態ではマスクの額側に水などが溜まってしまうことがある。このようにマスクの額側に水などが溜まった状態にあるマスクを装着しようとすると、マスクの上下の向きが逆になるようにひっくり返して装着することになり、マスクの額側に溜まっていた水が面口部側に流れ、吸気口を伝って吸気ユニット接続部に接続された各種空気供給ユニットの内部に流れ込んでしまうということを防止することであり、マスクの額側に溜まっていた水が吸気口から先に流れ込むことなく排出される方策が上記問題点の解決に有効であると知見し、さらに検討を続けた結果、本発明に到達した。
【課題を解決するための手段】
【００１２】
前記課題を解決するために、この発明が対象とするのは、作業環境中の有害物質をろ過、または空気供給装置を通じて着用者に清浄空気の吸入を可能とする呼吸用保護に用いるフルフェイス形マスクである。
かかるフェイスマスクにおいて本課題を解決するために本発明が対象とするのは、少なくとも眼部、鼻部および口部を覆うことが可能であって、その覆われたエリア内のさらに内側に鼻部および口部を覆う一方向に開閉可能なノーズカップ用吸気弁を備えたノーズカップと、着用者に清浄空気を供給するための清浄空気供給ユニットとの接続を可能とする吸気ユニット接続部と前記清浄空気供給ユニットからの清浄空気取り入れ口である吸気口と前記吸気口を通過したのち前記ノーズカップ用吸気弁を通じて前記ノーズカップの内側に供給される清浄空気を含み前記ノーズカップの内側の着用者の呼気をマスク外に排出するための排気口に設けられた一方向に開閉可能な排気弁を備えた面口部と、非装着状態にあるマスクを着用者の首に掛けて携行するための首掛け紐を備えたフルフェイス形マスクである。
本発明は、第１に、前記面口部は、前記吸気口を形成している隔壁によって前記吸気ユニット接続部側とマスクの内側とに仕切られ、前記吸気口の下方側には前記排気口が配設され、前記隔壁のマスクの内側面であって前記吸気口に対する前記排気口のある側とは反対側の少なくとも前記吸気口の中心より上方側の前記吸気口の外周側に、前記隔壁面と直交する方向への前記隔壁面からの高さが３〜１００ｍｍの壁板を設けたことを特徴とするフルフェイス形マスクである。
【００１３】
本発明は、第２に、前記壁板は、前記隔壁面のマスクの内側であって前記隔壁面と直交する方向からみたとき、前記排気口の中心と前記吸気口の中心とを結ぶ前記排気口から前記吸気口に向かっての延長線を中心に左右に亘って少なくとも１８０°以上の範囲に設けられていることを特徴とする上記第１に記載のフルフェイス形マスクである。
【００１４】
本発明は、第３に、前記壁板の外周面が、前記隔壁面に対して４５〜１３５°の角度で設けられていることを特徴とする請求項１または２に記載のフルフェイス形マスク。
【００１５】
本発明は、第４に、前記壁板が、前記吸気口を周状に囲うように設けられていることを特徴とする請求項１〜３に記載のフルフェイス形マスク。
【００１６】
本発明は、第５に、前記隔壁のマスクの内側面に、前記吸気口からマスクの内側に向かって一方向に開閉する吸気弁を設け、前記吸気口の外周側に前記吸気口を囲うように、前記吸気弁の閉鎖時に前記吸気弁の外周近傍に周状に当接するように設けた突起状の吸気弁当接山部が、前記壁板を兼ねることを特徴とする上記第４に記載のフルフェイス形マスクである。
【発明の効果】
【００１７】
マスクを非装着状態で首掛け紐によって着用者の首からぶら下がっている状態で水などを浴びてしまった場合にはそのマスクの額側に水などが溜まった状態となるがことがあるが、本発明によって、そのような状態にあるマスクを、その上下の向きが逆になるようにひっくり返しても、面口部の隔壁からマスクの内側の吸気口の外周側に設けた壁板によって、額側に溜まっていた水などが、吸気口を伝って吸気ユニット接続部に接続される清浄空気供給ユニットの内部に流れ込んでしまうということを抑制することであり、マスクの額側に溜まっていた水が吸気口に流れ込むことなく排出される本発明のフルフェイス形マスクを用いることにより、前述したような吸気ユニット接続部に接続される各種清浄空気供給ユニット内の例えば金属部品を錆びつかせてしまったり、部品の摺動部のグリスを流れ落としてしまったりして機構部品がスムーズに動かなくなったり或いは破損したり、異物を含んだ水などが浸入してその異物によって正常に動作しなくなったり、或いは電気部品が短絡してしまうなどの問題が解消される。
【図面の簡単な説明】
【００１８】
【図１】フルフェイス形マスクを用いた空気呼吸器において、同マスクを非装着状態で首に掛けた状態の一部を示す説明図。
【図２】本発明のフルフェイス形マスクの正面中央の縦断面図。
【図３】本発明の面口部に設けるべき壁板の一例を示す説明図。
【図４】本発明の面口部に設けるべき壁板の一例を示す説明図。
【図５】本発明の面口部に設けるべき壁板の一例を示す説明図。
【図６】本発明のフルフェイス形マスクを非装着で首に掛けたときの、マスク内部に水が溜まる個所を示す正面中央の縦断面図。
【発明を実施するための形態】
【００１９】
本発明のフルフェイス形マスク１は、一般的なフルフェイス形マスクと同様に着用者の視界を確保するための少なくとも着用者の眼部の近傍に配設される透明部材からなるアイピース３と、そのアイピース３の外周縁部に周設し、かつ着用者の顔面に気密状態で当接する接顔部２ａを形成する弾性部材からなるフェイスピース２と、着用者の口部および鼻部近傍に配設される面口部５によって、着用者が装着することで眼部、鼻部および口部を覆うことが可能になっている。
その覆われたエリア内のさらに内側には、鼻部および口部を覆うノーズカップ４が設けられていて、そのノーズカップ４には一方向に開閉可能であってノーズカップ４の内側に通気可能なノーズカップ用吸気弁４ａが設けられている。このノーズカップ４はマスク装着時に下方側に位置する面口部５の排気弁５ｆの設置された排気口５ｅに連結されていて、その排気口５ｅとの接合部には呼気等を含めた水抜き用の孔４ｂが形成されている。
前述した面口部５には、着用者に清浄空気を供給させるための清浄空気供給ユニットを着脱自在に接続する吸気ユニット接続部５ａと、その清浄空気供給ユニットからの清浄空気取り入れ口である吸気口５ｂと、吸気口５ｂを通過したのちノーズカップ用吸気弁４ａを通じてノーズカップ４の内側に供給される清浄空気を含みノーズカップ４の内側の着用者の呼気をマスク外に排出する一方向に開閉可能な排気弁５ｆを備えている。
またこの吸気口５ｂを形成している壁は、吸気ユニット接続部５ａ側とマスクの内側とに仕切る隔壁５ｃである。
これまで記載した部品類はフェイスピース２を主体部品として配設されていて、着用者の顔面に対してこの主体となるフェイスピース２の装着状態を保持するための平面状で放射状に複数のベルト部が広がったヘッドハーネス６を備えていて、フェイスピース６の接顔部２ａの周縁部近傍にはこのヘッドハーネス６の複数あるベルト部に対応した位置にそのベルト部の長さ調整を可能とするアジャスター６ａが設けられている。着用者はこのアジャスター６ａによってフェイスピース２の接顔部２ａと気密状態に当接できるようにこのヘッドハーネス６のバンドの長さを調整して装着するようになっている。
また、フェイスピース２の正面の口部から水平方向に延長した両端近傍には、３００〜１０００ｍｍ程度の１本の紐状部材からなる首掛け紐６ｂが結束されていて、マスクを非装着状態で携行する際に、その首掛け紐６ｂを着用者の首に掛けておくことができるようになっている。
【００２０】
本発明のフルフェイス形マスク１は、一般的なフルフェイス形マスクと同様に、面口部５の吸気ユニット接続部５ａに、空気呼吸器であれば空気供給弁が、エアラインマスクであれば空気接続部が、電動ファン付きマスクであればブロワーユニットが、防じんマスクであればフィルタが、防毒マスクであれば吸収缶が、それぞれマスクの用途に合わせて適宜着脱可能に接続できるようになっている。その吸気ユニット接続部５ａはネジなど適宜の方法で着脱自在に取付け可能となっている。
【００２１】
本発明のフルフェイス形マスク１は、一般的なフルフェイス形マスクと同様に、面口部５の吸気ユニット接続部５ａは口部の近傍に配設され、マスク装着時に額側となる側を上側とした場合、この吸気ユニット接続部５ａは下側に配設されている。
また、マスク１を非装着状態で首掛け紐６ｂを用いて着用者の首に掛けた場合、図１に示すように、面口部５の吸気ユニット接続部５ａに接続された空気呼吸器用の供給弁８側が上側に、マスク装着時に額側となる側が下側に配置される。さらにマスク１の接顔部２ａ側が着用者の身体側を向くような状態で着用者の首から垂れ下がっていて、このような状況で着用者の身体に水などがかかると、首から垂れ下がったマスクの上側にある面口部５の吸気ユニット接続部５ａ側には水などが溜まらず、下側に向いたマスク装着時に額側となる側に水が溜まるようになっている。
【００２２】
本発明のフルフェイス形マスク１は、面口部５に設けられた吸気口５ｂを形成する隔壁５ｃによって吸気ユニット接続部５ａ側とマスクの内側とに仕切られていて、吸気口５ｂの下方側に排気口５ｅを設ける。さらにその隔壁５ｃのマスクの内側面の吸気口５ｂに対して排気口５ｅのある側とは反対側の少なくとも吸気口５ｂの中心より上方側の吸気口５ｂのの外周側に、隔壁面５ｃと直交する方向への隔壁面５ｃからの高さが３〜１００ｍｍの壁板５ｄが設けられている。また、この吸気口５ｂを形成する隔壁５ｃと一体的に壁板５ｄが設けられている。またこの壁板５ｄは、隔壁面５ｃのマスクの内側の隔壁面５ｃと直行する方向からみたときに排気口５ｅの中心と吸気口５ｂの中心とを結ぶ排気口から吸気口に向かっての延長戦を中心に少なくとも１８０°以上の範囲に設けられていることが好ましい。またこの壁板５ｄは、その壁板５ｄの外周面が壁板面に対して４５〜１３５°の角度で設けられていることが好ましい。
【００２３】
本発明のフルフェイス形マスク１は、吸気口５ｂの周囲に前述したような壁板５ｄを設けることで、マスクを非装着状態で首掛け紐６ｂによって着用者の首からぶら下がっている状態で水などを浴びてしまった場合に、そのマスクの額側７ａに溜まってしまった水９などが、そのマスクの上下の向きが逆になるようにひっくり返しても、水がその壁板５ｄの外壁面にあたって吸気口５ｂに流れ込むことなくマスクに配設されている面口部５の排気口５ｅ近傍に設けられたノーズカップの水抜き孔４ｂに流れ、最終的に排気口５ｅからマスクの外気側に排出される。
これにより、吸気口５ｂを伝って吸気ユニット接続部５ａに接続される清浄空気供給ユニットの内部に流れ込んでしまうことがなくなり、その清浄空気供給ユニットの動作不良や故障などの問題が解消される。
【００２４】
本発明の好ましい実施の形態を図２に基づいて説明する。
図２の右図は本発明のフルフェイス形マスク１の正面中央の縦断面図であり、左図はその面口部５の部分拡大図である。
右図に図示されるように、マスク１の左側中央近傍から斜め右上方に向かってアイピース３があり、そのアイピース３の上下両端をフェイスピース２が“コの字”形に密着し、右反対側の接顔部２ａを含んで形成されている。下方左側に斜めに面口部５がフェイスピース２と気密状態で配設されていて、その面口部５と接顔部２ａとの間の位置にはノーズカップ４が配設されている。マスク１のほぼ最下部には面口部５の排気口５ｅが配設され、その排気口５ｅには排気弁５ｆがマスクの外気側に開閉可能なように配設されている。なお、本図では首掛け紐６ｂ、ヘッドハーネス６、アジャスター６ａは図示していない。
【００２５】
前述した排気弁５ｆの外気側には周方向に開放孔を形成した筒状の排気弁カバー５ｇが配設されている。その斜め左上方には清浄空気供給ユニットをねじにより着脱可能な吸気ユニット接続部５ａが形成されていて、その吸気ユニット接続部５ａのねじの奥側である斜め右上方には円形の吸気口５ｂが形成されている。その吸気口５ｂの中央には吸気弁５ｉを取り付けるための吸気弁芯５ｈとその吸気弁芯５ｈを軸に吸気弁５ｉが設けられている。その吸気口５ｂの形成されている隔壁５ｃのマスクの内側面には吸気口５ｂの輪郭に沿うように高さ０．３ｍｍ程度の突起状の吸気弁当接山部５ｊが設けられていて、吸気弁５ｉが確実にシールされるようになっている。フルフェイス形マスク１の用途によっては吸気弁５ｉを用いずに使用する場合もある。吸気ユニット接続部５ａと吸気口５ｂを形成している壁との接合部近傍には清浄空気供給ユニットを気密状態で面口部５に接続可能とするためのリング状の吸気ユニット用パッキン５ｋが配設されている。吸気口５ｂを形成している壁は吸気ユニット接続部５ａ側とマスク内を仕切る隔壁５ｃを兼ねていて、必ずしも平面である必要はなく、曲面やそれらの複合面であっても用いうる。
【００２６】
清浄空気供給ユニットを面口５ｂの吸気ユニット接続部５ａに接続した際の空気は、清浄空気供給ユニットからの清浄空気が面口部５の吸気口５ｂを、吸気弁芯５ｈを支点に吸気弁５ｉをマスク１の内側に開かせながら通過し、着用者の眼部に接することが可能なエリアに侵入する。そしてそれらの清浄空気はノーズカップ用吸気弁４ａをノーズカップ４の内側に開かせながらノーズカップ４の内側に侵入し、着用者の鼻部或いは口部から着用者の吸気に供され、着用者の呼気時にノーズカップ４の下方が連結された面口部の排気口５ｅに設けた、排気弁５ｆをマスクの外気側に押し開きながら排出される。
【００２７】
さらに図２の左図の面口部部分拡大図に基づいて説明すると、
面口部５の吸気口５ｂの形成された隔壁５ｃには吸気口５ｂが直径（Ａ寸法）がφ２７ｍｍの丸形に形成されている。本発明においてこの吸気口５ｂの寸法や輪郭形状には制約はないが、丸形、楕円或いは長円形状を用いることが特に好ましい。
【００２８】
吸気口５ｂが形成された隔壁５ｃのマスクの内側面の吸気口５ｂの輪郭の周端部から壁板５ｄの内側面までの距離（Ｂ寸法）については８ｍｍである。特に０ｍｍ〜５０ｍｍの範囲が望ましいが、５０ｍｍ〜１００ｍｍの範囲であっても用いうる。
なお、フルフェイス形マスク１の用途においては、吸気弁５ｉを用いないで使用する場合もあり、このような用途に専用に用いる場合や、吸気弁５ｉを用いる場合であって吸気口５ｂを形成する隔壁５ｃに設けられる突起状の吸気弁当接山部５ｊと、この壁板５ｄを兼用する場合には  吸気口５ｂから壁板５ｄまでの距離（Ｂ寸法）が０ｍｍであっても用いうる。なお、この吸気弁当接山部５ｊと壁板５ｄを兼用する場合、吸気口５ｂから壁板５ｄまでの距離（Ｂ寸法）は０ｍｍでなくとも実施可能である。
【００２９】
壁板５ｄの厚み（Ｃ寸法）は壁板５ｄの先端部で１ｍｍの、根元に向かって若干のテーパ角度がついている。この壁板５ｄは形成する双璧部が平行であったり、隔壁５ｃに対して直交している場合などであっても用いうる。なお図２では隔壁５ｃに対する壁板５ｄの外周面の角度（Ｅ寸法）が９３°となっていて、本発明においては特に好ましい形態であるが、この外周面が必ずしもが直線である必要はなく、直線や曲線の複合した形状など適宜選択可能である。なお、この壁板５ｄを直線で形成する場合にあっては、この吸気口５ｂの形成された隔壁５ｃに対する壁板５ｄの角度は、４５°〜１３５°が望ましい。
【００３０】
吸気口５ｂの形成された隔壁５ｃのマスクの内側面からの壁板５ｄの高さ（Ｄ寸法）は、６ｍｍで形成されており、壁板５ｄは吸気口５ｂの形成された隔壁５ｃのマスクの内側面と一体的に形成されている。この壁板５ｄの高さ（Ｄ寸法）は５ｍｍ〜１５ｍｍの範囲が望ましいが、３ｍｍ〜１００ｍｍの範囲で高さにおいても選択可能であり、高さを高くすればマスク内に溜まった水は壁板５ｄを乗り越えづらくなるので、より吸気口５ｂから吸気ユニット接続部５ａ側に流入しにくくなる。
【００３１】
図３は図２の面口部５の吸気口５ｂを形成している隔壁５ｃに対してマスク１の内側から直交する方向からみた状態であって吸気弁５ｉを取り外した状態を示している。
図３に示すように、吸気口５ｂの形成面と直交する方向からみたときの壁板５ｄは、丸形の吸気口５ｂの輪郭の外周側に、その吸気口５ｂの輪郭の外周側から距離（Ｂ寸法）８ｍｍで、吸気口５ｂと同芯円上に３６０°に円周状に形成されている。この壁板５ｄは必ずしも吸気口５ｂの輪郭の外周側から一定の距離に設けたり、３６０°円周状に形成されている必要はない。例えば図３の壁板５ｄを別の状態で実施する場合を代表的に例示した図４や図５のように壁板５ｄの形成される形状や範囲を適宜変更することができる。図４には壁板５ｄが吸気口５ｂの上方側１８０°までしか形成されていない。また図５には図４と同様に壁板５ｄが吸気口５ｂの上方側１８０°程度までしか形成されておらず、壁板５ｄの両端側は吸気口５ｂと同芯円上になく、その両端は吸気口５ｂとは逆側に反った丸みをもつ形状をしている。
【００３２】
図６はマスクを首掛け紐６ｂによって首に掛けた状態でそのマスク内に水などが溜まった状態を示したものであるが、本発明によってこれまで述べたような壁板５ｄを面口部５の吸気口５ｂの形成された隔壁５ｃのマスク１の内側の吸気口５ｂの上方側に設けることで、図６のような状態にあるマスクの向きを上下逆にした場合でも、マスク１の額側に溜まっていた水９などが前述の壁板５ｄによって吸気口５ｂから吸気ユニット接続部５ａ側に流入することなくはじかれて、そのはじかれた水などは、さらにマスク１の下方側に配置された面口部５の排気口５ｅ近傍のノーズカップ４の水抜き孔４ｂ近傍に流れ、最終的にその排気口５ｅ設けられた排気弁５ｆからマスクの外気側に排出される。
【００３３】
本発明は、フルフェイス形マスク１のいずれの用途においても共通して用いることが可能であり、マスクの面口部５の吸気ユニット接続部５ａに接続される例えば空気呼吸器であれば供給弁、電動ファン付きマスクではブロワーユニットなどの清浄空気供給ユニットの内部に、首掛け紐６ｂによって着用者の首などに掛けた際にマスク１の額側に溜まった水９などが、そのマスク１を装着するにあたってマスク１を上下に向きをひっくり返した際にも浸入することがなくなり、最終的には清浄空気供給ユニットの動作不良や故障を抑制することが可能となる。
【符号の説明】
【００３４】
１：フルフェイス形マスク
２：フェイスピース
２ａ：接顔部
３：アイピース
４：ノーズカップ
４ａ：ノーズカップ用吸気弁
５：面口部
５ａ：吸気ユニット接続部
５ｂ：吸気口
５ｃ：隔壁
５ｄ：壁板
５ｅ：排気口
５ｆ：排気弁
５ｇ：排気弁カバー
５ｈ：吸気弁芯
５ｉ：吸気弁
５ｊ：吸気弁当接山部
６ｂ：首掛け紐
７ａ：額側
８：供給弁
９：マスク内に溜まった水
【図１】
2012010732.tif 000003
【図２】
2012010732.tif 000004
【図３】
2012010732.tif 000005
【図４】
2012010732.tif 000006
【図５】
2012010732.tif 000007
【図６】
2012010732.tif 000008